(57)【要約】【課題】突出位置にある発光部に荷重が加わることがあっても配光方向がずれないようにすること。【解決手段】撮像装置は、被写体の撮影に際して被写体を照明し、撮像装置の本体に収納された収納位置と収納位置から突出した突出位置との間を移動可能に設けられる発光部と、発光部が突出位置にある場合に、被写体の撮影に際して発光部を係止する係止部と、を備える。【選択図】図７
2015049452.tif 000002
【特許請求の範囲】
【請求項１】
被写体の撮影に際して前記被写体を照明し、撮像装置の本体に収納された収納位置と前記収納位置から突出した突出位置との間を移動可能に設けられる発光部と、
前記発光部が前記突出位置にある場合に、前記被写体の撮影に際して前記発光部を係止する係止部と、
を備えることを特徴とする撮像装置。
【請求項２】
請求項１に記載の撮像装置において、
第１段階の操作と、前記第１段階の操作から続く第２段階の操作とを受け付ける操作部をさらに備え、
前記係止部は、前記発光部が前記突出位置にある場合に、前記第１段階の操作に応じて、前記発光部を係止し、
前記第１段階の操作が行われたときは撮影準備動作を開始し、
前記第２段階の操作が行われたときは撮影動作を開始することを特徴とする撮像装置。
【請求項３】
請求項２に記載の撮像装置において、
前記係止部は、前記第１段階の操作が行われている間に前記第２段階の操作が行われ、前記撮影動作が完了するまでの間、前記発光部を係止することを特徴とする撮像装置。
【請求項４】
請求項２または３に記載の撮像装置において、
前記係止部は、前記第１段階の操作が行われ、前記第２段階の操作が行われることなく前記第１段階の操作が中止された場合、前記発光部の係止を解除することを特徴とする撮像装置。
【請求項５】
請求項１から４のいずれか一項に記載の撮像装置において、
前記発光部が前記突出位置にある場合に、前記被写体の撮影に際して前記発光部が係止されているか否かを検出する係止検出部と、
前記係止部により前記発光部が係止されていないと前記係止検出部が判定した場合に前記発光部の発光を禁止する発光制御部と、
をさらに備えることを特徴とする撮像装置。
【発明の詳細な説明】
【技術分野】
【０００１】
本発明は、撮像装置に関する。
【背景技術】
【０００２】
レンズ鏡筒の撮影準備動作に伴ってフラッシュがバネ等の付勢力により収納位置から突出位置まで回動して、フラッシュがストッパに当接する撮像装置が知られている（特許文献１）。
【先行技術文献】
【特許文献】
【０００３】
【特許文献１】特開平１０−１４２６５４号公報
【発明の概要】
【発明が解決しようとする課題】
【０００４】
従来の撮像装置では、突出位置にあるフラッシュは、指で押し返すことができる程度の付勢力でストッパに押し当てられているだけである。そのため、風圧などにより発光部に大きな荷重が加わると、フラッシュの配光方向がずれることがある。また、同様に水中撮影が可能な撮像装置にあっては、水圧によってもフラッシュの配光方向がすれることがある。
【課題を解決するための手段】
【０００５】
本発明による撮像装置は、被写体の撮影に際して被写体を照明し、撮像装置の本体に収納された収納位置と収納位置から突出した突出位置との間を移動可能に設けられる発光部と、発光部が突出位置にある場合に、被写体の撮影に際して発光部を係止する係止部と、を備えることを特徴とする。
【発明の効果】
【０００６】
突出位置にある発光部に荷重が加わることがあっても配光方向がずれることがない。
【図面の簡単な説明】
【０００７】
【図１】本発明の一実施の形態による撮像装置の概略斜視図である。
【図２】本発明の一実施の形態による撮像装置の概略斜視図である。
【図３】本発明の一実施の形態による撮像装置に有する発光装置のロックに関する構成の一例を示す図である。
【図４】発光装置の回動と係止について説明する図である。
【図５】ロック機構の一構成例を示す図である。
【図６】ロック検出スイッチの一構成例を示す図である。
【図７】突出位置の発光装置の係止に関するフローチャートの一例を示す図である。
【図８】発光装置の係止方法に関する変形例を示す図である。
【図９】突出位置の発光装置の係止方法の一例を示す図である。
【発明を実施するための形態】
【０００８】
図１は、本発明の一実施の形態による撮像装置の概略斜視図である。図１に例示する撮像装置は、防水性を有するレンズ交換式のデジタルカメラ１であって、交換レンズ１０とカメラボディ２０とを備える。交換レンズ１０は、防水性を有し、カメラボディ２０に交換可能に装着される。図１は、交換レンズ１０がカメラボディ２０に装着された状態を示している。
【０００９】
カメラボディ２０は、発光装置２１と、ロック機構２２と、ロック解除スイッチ２３と、レリーズ操作部材２４とを備える。また、カメラボディ２０は、本体上面に開口を有する凹形状の収納部２５を有する。収納部２５には、図示のように、発光装置２１を収納することができる。
【００１０】
発光装置２１は、フラッシュなどで構成され、被写体を照明する発光部５０と、発光部５０を支持する支持部５１とを有する。発光部５０は、たとえば、キセノン管やＬＥＤなどの光源と、光源からの光を配光する不図示の光学部材とを有する。
【００１１】
発光装置２１は、図１に示すように収納部２５に収納された状態（収納位置）と、図２に示すように収納部２５から上方向に突出した状態（突出位置）との間を移動可能である。発光装置２１は、不図示のねじりばね等により突出方向に回動するように付勢されている。
【００１２】
ロック機構２２は、収納位置に位置する発光装置２１を係止する収納位置用ロック機構２２ａと、発光装置２１を突出位置で係止する突出位置用ロック機構２２ｂとを備えている。これら機構については後述する。
ロック解除スイッチ２３は、発光装置２１が収納位置で係止されているときに、ロック機構２２による発光装置２１の係止を解除するための操作部材である。発光装置２１が収納位置で係止されているときにロック解除スイッチ２３が操作されると、発光装置２１が上述の不図示のねじりばねの付勢力により突出位置まで回動する。
【００１３】
図２は、発光装置２１が突出位置（発光位置）まで回動した状態を示す。突出位置まで回動した発光装置２１は、発光部５０が被写体に向けられており、撮影時には発光部５０が発光して被写体を照明する。デジタルカメラ１のロック機構２２に含まれる突出位置用ロック機構２２ｂは、突出位置に位置する発光装置２１をさらに係止する。この突出位置用ロック機構２２ｂは、後述するように、撮影に際して図２には不図示のロックピン４１（図５に図示あり）をロックピン挿入穴５３に挿入することで、発光装置２１を突出位置で係止する。
【００１４】
デジタルカメラ１が、流れの強い水中や、地上でも風の強い場所（暴風域等）に存在する場合、発光装置２１が突出位置で係止（ロック）されていない状態では、水圧や風圧により発光装置２１が押し下げられて、発光装置２１の配光方向がずれるおそれがある。本実施の形態では、撮影に際して発光装置２１を突出位置で係止することにより、水圧や風圧により発光装置２１が押し下げられることを防ぎ、発光装置２１の配光方向がずれることを予防する。
【００１５】
図３は、発光装置２１のロックに関するデジタルカメラ１の構成を示すブロック図である。図３には、デジタルカメラ１の構成として、ロック機構２２と、レリーズ操作部材２４と、撮像部３０と、ロック用制御回路３１と、ロック検出スイッチ３２と、表示部３３と、ＣＰＵ３４が図示されている。
【００１６】
撮像部３０は、たとえば、交換レンズ１０に内蔵される光学系、絞り、シャッタなどと、カメラボディ２０に内蔵される撮像素子、画像処理部など（いずれも不図示）を含み、被写体を撮像して撮像画像を生成する。
【００１７】
ロック機構２２は、ロック用制御回路３１に接続されており、収納位置用ロック機構２２ａと、突出位置用ロック機構２２ｂとを有する。ロック用制御回路３１は、ＣＰＵ３４の指示に従いロック機構２２の各部へ電力供給を制御する。詳細を後述するように、突出位置用ロック機構２２ｂは、ロック用制御回路３１から電力の供給を受けると、発光装置２１を突出位置で係止（ロック）する。突出位置用ロック機構２２ｂは、ロック用制御回路３１からの電力供給がオフになると係止を解除する。収納位置用ロック機構２２ａは、発光装置２１を収納位置で係止（ロック）する。
【００１８】
レリーズ操作部材２４は、半押しスイッチ２４ａと全押しスイッチ２４ｂとを備える。半押しスイッチ２４ａは、レリーズ操作部材２４が通常ストロークの半分程度まで押し下げ操作されるとオン状態になり、半押し信号をＣＰＵ３４へ出力する。全押しスイッチ２４ｂは、レリーズ操作部材２４が通常ストロークまで押し下げ操作されるとオン状態になり、全押し信号をＣＰＵ３４へ出力する。
【００１９】
ロック検出スイッチ３２は、突出位置用ロック機構２２ｂが、突出位置にある発光装置２１を正常に係止したことを検出する。ロック検出スイッチ３２の詳細については、後に詳述する。
【００２０】
表示部３３は、たとえばデジタルカメラ１の背面に設けられた液晶式の表示モニタであって、メッセージや画像を表示することができる。たとえば、突出位置用ロック機構２２ｂが発光装置２１を正常にロックしていないことをロック検出スイッチ３２が検出した場合に、警告メッセージ、警告マーク等を表示する。
【００２１】
ＣＰＵ３４は、不図示のＲＡＭを作業領域として用いて、デジタルカメラ１の全体の制御を行う。たとえば、ＣＰＵ３４は、レリーズ操作部材２４から半押し信号が入力された場合は、焦点調節動作、自動露出制御などの撮影準備動作を実施させる。また、ＣＰＵ３４は、レリーズ操作部材２４から全押し信号が入力された場合は、被写体像を撮影する撮像動作を実施させる。
さらに、ＣＰＵ３４は、被写体像の撮影に際して、より具体的には撮影準備動作を開始してから撮影動作が完了するまでの間、発光装置２１が突出位置で係止されるようにロック用制御回路３１に指令を送信する。
【００２２】
図４は、発光装置２１の回動と係止について説明するための図である。図４は、デジタルカメラ１の発光装置２１を模式的に表した概略断面図である。図４では、収納位置にある発光装置２１が破線で、突出位置にある発光装置２１が実線で示されている。支持部５１は、不図示のねじりばねにより矢印Ａ１方向、すなわち突出方向に付勢されている。支持部５１の回動により発光部５０の配光方向が変化する。
【００２３】
発光装置２１は、収納部２５の内側の位置にロックピン挿入穴５３を有する。発光装置２１が収納位置にあるとき、ロックピン挿入穴５３には収納位置用ロック機構２２ａ（図３）のロックピンが挿入される。発光装置２１が突出位置にあるとき、ロックピン挿入穴５３には突出位置用ロック機構２２ｂ（図３）のロックピンが挿入される。
【００２４】
図５は、突出位置用ロック機構２２ｂの一例を示す概略断面図である。図５に例示するように、突出位置用ロック機構２２ｂは、ソレノイドコイル４０と、プランジャ（可動鉄芯）として用いられるロックピン４１と、ロックピン４１を吸引するマグネット４２とを有する。突出位置用ロック機構２２ｂのロックピン４１の動作（ソレノイドコイル４０への電流制御など）は、ロック用制御回路３１により制御される。
【００２５】
突出位置用ロック機構２２ｂに電力が供給されると、ソレノイドコイル４０に電流が流れ、ロックピン４１に磁極が形成される。ロックピン４１は、一端に傾斜部４１ａを有し、他端に鍔部４１ｂを有する。ソレノイドコイル４０に電流が流れると、たとえば、傾斜部４１ａにＳ極が形成され、鍔部４１ｂにＮ極が形成される。
【００２６】
マグネット４２は、たとえば永久磁石で構成され、ロックピン４１の鍔部４１ｂにＮ極が対向するように配置されている。ソレノイドコイル４０に電流が流れたとき、ロックピン４１は、鍔部４１ｂのＮ極とマグネット４２のＮ極とが反発して、鍔部４１ｂがソレノイドコイル４０に当接するまで図４の右方向に押し出される。ロックピン４１は、傾斜部４１ａに案内されて、発光部５０を支持する支持部５１に形成されているロックピン挿入穴５３に挿入される。これにより発光装置２１が突出位置（発光位置）でロックされることになる。
【００２７】
また、ソレノイドコイル４０への電力供給がオフになると、ロックピン４１は、鍔部４１ｂがマグネット４２に当接するまでマグネット４２に吸引される。これにより、ロックピン挿入穴５３からロックピン４１が抜かれて、発光装置２１の突出位置での係止が解除される。
【００２８】
収納位置用ロック機構２２ａは、図４に点線にて示される収納状態に発光装置２１があるときに、その収納状態に位置する支持部５１のロックピン挿入穴５３に対して係合可能な収納位置用ロックピン（不図示）を備えている。この収納位置用ロックピンは、上述のロックピン４１とは別のロックピンである。そして収納位置用ロック機構２２ａは、収納位置用ロックピンと、この収納位置用ロックピンを挿入穴５３への入方向に付勢するばね（不図示）と、ロック用制御回路３１により電力が供給される電磁石（不図示）とを有する。収納位置用ロック機構２２ａは、ばねの付勢力により収納位置用ロックピンを収納位置の発光装置２１のロックピン挿入穴５３に挿入する。また、収納位置用ロック機構２２ａは、電磁石を用いて、収納位置用ロックピンをばねの付勢力に抗して吸引し、ロックピン挿入穴５３から収納位置用ロックピンを引き抜いて収納位置の発光装置２１の係止を解除する。
なお、収納位置用ロック機構２２ａに関しては、上述したような実施形態以外であっても構わない。例えば従来のポップアップ可能なストロボを備えたカメラに適用されている、従来周知の収納位置ロック機構と同様な構成を採用しても良い。
【００２９】
図６（ａ）および（ｂ）は、ロック検出スイッチ３２の概要を示す模式図である。ロック検出スイッチ３２は、たとえばマイクロスイッチで構成され、突出位置の発光装置２１が突出位置用ロック機構２２ｂにより正常に係止したことを検出する。ロック検出スイッチ３２は、ロックピン４１をロックピン挿入穴５３に挿入するために必要な距離だけロックピン４１が駆動されると鍔部４１ｂが接触する位置にレバー３２ａが配置されている。
【００３０】
図６（ａ）に示すように、ロックピン４１がマグネット４２と反発して押し出された状態では、ロックピン４１の鍔部４１ｂがロック検出スイッチ３２のレバー３２ａを押圧して、ロック検出スイッチ３２をオンにする。ロック検出スイッチ３２がオンになると、ＣＰＵ３４に所定の検出信号が入力される。また、図６（ｂ）に示すように、ロックピン４１がマグネット４２に吸引された状態では、ロック検出スイッチ３２のレバー３２ａからロックピン４１の鍔部４１ｂが離れて、ロック検出スイッチ３２がオフになる。
【００３１】
ＣＰＵ３４は、ロック機構２２に通電させているときに、ロック検出スイッチ３２から検出信号が入力されなかった場合、発光装置２１の係止が正常に係止していないと判断する。ＣＰＵ３４は、発光装置２１の発光を禁止すると共に、発光装置２１が正常に係止されていないため発光を禁止する制御を行っている旨の警告メッセージを表示部３３に表示する。
【００３２】
図７は、発光装置２１を突出位置で係止する際にＣＰＵ３４が実行する制御に関するフローチャートである。図７にフローチャートを示す処理の初期状態では、デジタルカメラ１の電源はオンになっており、発光装置２１が突出位置に移動している。
【００３３】
ステップＳ１００では、ＣＰＵ３４は、レリーズ操作部材２４から半押し信号が入力されたか否かを判定する。ＣＰＵ３４は、レリーズ操作部材２４から半押し信号が入力されるまでステップＳ１００に留まり、レリーズ操作部材２４から半押し信号が入力されるとステップＳ１０１の処理に進む。
【００３４】
ステップＳ１０１では、ＣＰＵ３４は、ロック用制御回路３１から突出位置用ロック機構２２ｂに通電させる。これにより、突出位置用ロック機構２２ｂがロックピン４１をロックピン挿入穴５３に向けて駆動する。
【００３５】
ステップＳ１０２では、ＣＰＵ３４は、ロック検出スイッチ３２がオンになったか否か、すなわち突出位置での発光装置２１の係止が達成されたか否かを判定する。たとえば、ＣＰＵ３４は、ロック検出スイッチ３２の回路が閉じて、ロック検出スイッチ３２から検出信号が入力されたか否かを判定する。ＣＰＵ３４は、ロック検出スイッチ３２がオンにならなかった場合、ステップＳ１０３の処理に進み、ロック検出スイッチ３２がオンになった場合、ステップＳ１０４の処理に進む。
【００３６】
ステップＳ１０３では、ＣＰＵ３４は、発光装置２１の発光を禁止すると共に、発光装置２１が正常に係止されていないため発光を禁止する制御を行っている旨の警告メッセージを表示部３３に表示させる。その後、ＣＰＵ３４は、ステップＳ１０２の処理に戻る。
【００３７】
ステップＳ１０４では、ＣＰＵ３４は、レリーズ操作部材２４から半押し信号が入力されたか否かを判定する。ＣＰＵ３４は、レリーズ操作部材２４から半押し信号が入力されていない場合、たとえばユーザが全押し操作を行う前にレリーズ操作部材２４から手を放した場合は、ステップＳ１０８の処理に進む。また、ＣＰＵ３４は、レリーズ操作部材２４から半押し信号が入力されている場合はステップＳ１０５の処理に進む。
【００３８】
ステップＳ１０５では、ＣＰＵ３４は、レリーズ操作部材２４から全押し信号が入力されたか否かを判定する。ＣＰＵ３４は、レリーズ操作部材２４から全押し信号が入力されていない場合、たとえばユーザが半押し操作を続けている場合は、ステップＳ１０７の処理に進む。また、ＣＰＵ３４は、レリーズ操作部材２４から全押し信号が入力されている場合はステップＳ１０６の処理に進む。
【００３９】
ステップＳ１０６では、ＣＰＵ３４は、レリーズ操作部材２４から全押し信号が入力されなくなったか否かを判定する。すなわち、ＣＰＵ３４は、撮影動作が完了したか否かを判定する。ＣＰＵ３４は、レリーズ操作部材２４から全押し信号が入力されなくなった場合、ステップＳ１０８の処理に進み、レリーズ操作部材２４から全押し信号が入力されている場合、ステップＳ１０５の処理に戻る。
【００４０】
ステップＳ１０７では、ＣＰＵ３４は、レリーズ操作部材２４から半押し信号が入力されたか否かを判定する。ＣＰＵ３４は、レリーズ操作部材２４から半押し信号が入力されていない場合、たとえばユーザが全押し操作を行う前にレリーズ操作部材２４から手を放した場合は、ステップＳ１０８の処理に進む。また、ＣＰＵ３４は、レリーズ操作部材２４から半押し信号が入力されている場合はステップＳ１０１の処理に戻る。
【００４１】
ステップＳ１０８では、ＣＰＵ３４は、ロック用制御回路３１から突出位置用ロック機構２２ｂへの通電をオフにする。これにより、突出位置用ロック機構２２ｂがロックピン４１をロックピン挿入穴５３に向けて駆動する。その後、ＣＰＵ３４は、ステップＳ１００の処理に戻る。
【００４２】
以上で説明した実施の形態によれば、以下の作用効果が得られる。
デジタルカメラ１は、被写体の撮影に際して被写体を照明し、カメラボディ２０に収納された収納位置と収納位置から突出した突出位置との間を移動可能に設けられる発光装置２１と、発光装置２１が突出位置にある場合に、被写体の撮影に際して発光装置２１を係止するロック機構２２とを備える。デジタルカメラ１は、発光装置２１が突出位置にある場合に撮像部３０による撮影に際して発光装置２１を係止することにより、突出位置の発光装置２１に風圧や水圧による荷重が加わることがあっても配光方向がずれることがない。
【００４３】
以上で説明した実施形態は、以下のように変形して実施できる。
（変形例１）上記の実施の形態では、ねじりばねの付勢力により収納位置から突出位置に発光装置２１を移動させ、手動で突出位置から収納位置まで発光装置２１を移動させ、ロックピン４１の挿入により発光装置２１を係止した。しかし、発光装置２１の駆動と係止をすべて一つの構成で行うことにしてもよい。図８（ａ）は、発光装置２１の駆動と係止を行う環状のリニアモータを例示した図である。発光装置２１は、発光装置２１の支持部５１にリニアモータの可動子６１を有し、収納部２５の壁面に固定子６２を有する。可動子６１は、図８（ｂ）に示すように複数の棒状の永久磁石が環状に並べて配置されている。各永久磁石は、可動子６１の厚さ方向に両磁極を有している。そして、隣り合う永久磁石の磁性は、互いに反対になるように配置されている。環状の可動子６１の中心は、回転軸５２と同軸になるように設けられる。固定子６２は、可動子６１の複数の永久磁石にそれぞれ対向するように複数の電磁石を有している。各電磁石の磁極を切替制御することにより、環状の固定子６２を駆動する。
【００４４】
（変形例２）上記の実施の形態では、ロック機構２２は、収納位置用ロック機構２２ａと突出位置用ロック機構２２ｂとを備え、発光装置２１を収納位置で係止する場合と突出位置で係止する場合とで使い分けていた。しかし、発光装置２１が突出位置にある場合であっても、収納位置用ロック機構２２ａを用いて発光装置２１を係止させることにしてもよい。図９は、突出位置の発光装置２１の支持部５１の底面７１の下に収納位置用ロックピン８１を突出させたデジタルカメラ２を示した図である。図９においてロックピン８１が突出している位置は、図４に点線で示した収納位置の発光装置２１のロックピン挿入穴５３の位置に一致する。発光装置２１の底面７１がロックピン８１に当接するため、発光装置２１は収納位置に戻る方向に回動することが妨げられ、係止される。
【００４５】
（変形例３）上記の実施の形態では、発光装置２１は、回転軸５２を中心に突出方向に回動することとした。しかし、本実施の形態による発光装置２１の係止方法は、発光装置２１が収納位置から突出位置まで如何なる経路で移動するものであっても適用することができる。たとえば、ばねの付勢力により収納位置から突出位置まで上方向に移動させる撮像装置についても本発明を適用することができる。
【００４６】
（変形例４）上記の実施の形態では、ロック解除スイッチ２３が操作された場合に収納位置の発光装置２１の係止を解除することとしたが、他の条件により収納位置の発光装置２１の係止を解除することにしてもよい。たとえば、交換レンズ１０がカメラボディ２０に装着されたとき、自動的に収納位置の発光装置２１の係止を解除することにしてもよい。
【００４７】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００４８】
１，２  デジタルカメラ
２１  発光装置
２２  ロック機構
２２ａ  収納位置用ロック機構
２２ｂ  突出位置用ロック機構
２３  ロック解除スイッチ
２４  レリーズ操作部材
２５  収納部
３０  撮像部
３１  ロック用制御回路
３２  ロック検出スイッチ
３３  表示部
５３  ロックピン挿入穴
【図１】
2015049452.tif 000003
【図２】
2015049452.tif 000004
【図３】
2015049452.tif 000005
【図４】
2015049452.tif 000006
【図５】
2015049452.tif 000007
【図６】
2015049452.tif 000008
【図７】
2015049452.tif 000009
【図８】
2015049452.tif 000010
【図９】
2015049452.tif 000011